(57)【要約】【課題】本発明の目的は、長期間患者が快適に装着できる識別バンドのためのシート組立体を提供することである。【解決手段】本発明のシート組立体は、正面シートを有している。前記正面シートは、少なくとも一部分が、織布で形成されている。【選択図】図１
2011257778.tif 000002
【特許請求の範囲】
【請求項１】
シート組立体であって、正面シートを有し、前記正面シートは、少なくとも一部分が、織布で形成されることを特徴とするシート組立体。
【請求項２】
請求項１に記載のシート組立体であって、
（あ）前記正面シートは、上面を有し、
（い）前記正面シートの上面は、前記正面シートの上面の上に印刷された表示を実質的に恒久的に受入れるのに適した仕上げを有する、
ことを特徴とするシート組立体。
【請求項３】
前記印刷された表示は、バーコードを含むことを特徴とする、請求項２に記載のシート組立体。
【請求項４】
前記正面シートは、識別バンドを構成する、少なくとも１つの抜きを含むことを特徴とする、請求項１に記載のシート組立体。
【請求項５】
前記少なくとも１つの抜きは、型抜きであることを特徴とする、請求項４に記載のシート組立体。
【請求項６】
前記正面シートは、前記正面シートに形成された抜きの列を含み、前記抜きの列は、少なくとも１つの識別領域を構成することを特徴とする、請求項４に記載のシート組立体。
【請求項７】
前記少なくとも１つの識別領域は、少なくとも１つの識別カードであることを特徴とする、請求項６に記載のシート組立体。
【請求項８】
請求項７に記載のシート組立体であって、
（あ）前記正面シートは、互いに対向する上面および裏面を有し、
（い）前記シート組立体は、さらに、互いに対向する上面および裏面を有する裏張りシートを含み、
（う）前記正面シートの裏面は、前記裏張りシートの上面に対向するように配置され、
（え）前記少なくとも１つの識別カードに対応する前記正面シートの前記裏面の部分には、感圧接着剤が塗布されており、
（お）前記裏張りシートの部分は、前記裏張りシートの部分に形成された抜きの列を含み、前記抜きの列は、少なくとも１つの識別カードを構成する前記抜きと実質的に合わされるようになっている、
ことを特徴とするシート組立体。
【請求項９】
前記正面シートは、少なくとも１つのラベルを構成するように前記正面シートに形成された抜きの列を含むことを特徴とする、請求項１に記載のシート組立体。
【請求項１０】
請求項９に記載のシート組立体であって、
（あ）前記正面シートは、互いに対向する上面および裏面を有し、
（い）前記少なくとも１つのラベルに対応する前記正面シートの前記裏面の部分に塗布された感圧接着剤を有する、
ことを特徴とするシート組立体。
【請求項１１】
請求項９に記載のシート組立体であって、
（あ）前記正面シートは、互いに対向する上面および裏面を有し、
（い）前記シート組立体は、さらに、互いに対向する上面および裏面を有する裏張りシートを含み、
（う）前記正面シートの裏面は、前記裏張りシートの上面に対向するように配置され、
（え）前記少なくとも１つのラベルの裏面と合わされるようになっている、前記裏張りシートの上面の部分には、剥離被覆材が設けられている、
ことを特徴とするシート組立体。
【請求項１２】
前記織布は、ポリエステル、および、ナイロンからなる群から選ばれることを特徴とする、請求項１に記載のシート組立体。
【請求項１３】
前記織布は、およそ３．０ミルから６．０ミルの間の厚みを有することを特徴とする、請求項１に記載のシート組立体。
【請求項１４】
前記識別バンドは、細長いストラップを含むことを特徴とする、請求項４に記載のシート組立体。
【請求項１５】
前記ストラップは、およそ０．７５ｃｍから２．２５ｃｍの間の幅を有することを特徴とする、請求項１４に記載のシート組立体。
【請求項１６】
請求項１４に記載のシート組立体であって、
（あ）前記正面シートは、互いに対向する上面および裏面を有し、
（い）前記シート組立体は、さらに、互いに対向する上面および裏面を有する裏張りシートを含み、
（う）前記正面シートの裏面は、前記裏張りシートの上面に対向するように配置され、
（え）前記裏張りシートの上面は、前記細長いストラップと合わされるようになっている少なくとも部分に塗布された低粘着性接着剤を有する、
ことを特徴とするシート組立体。
【請求項１７】
前記識別バンドは、さらに、前記細長いストラップに連結された識別パネルを含むことを特徴とする、請求項１４に記載のシート組立体。
【請求項１８】
請求項１４に記載のシート組立体であって、
（あ）前記細長いストラップは、互いに対向する端を有し、
（い）前記識別バンドは、さらに、前記細長いストラップの端のうちの一方に識別パネルを含む、
ことを特徴とするシート組立体。
【請求項１９】
請求項１８に記載のシート組立体であって、
（あ）前記識別パネルは、面を有し、
（い）前記シート組立体は、さらに、前記識別パネルの面に印刷された表示を含む、
ことを特徴とするシート組立体。
【請求項２０】
前記表示は、バーコードを含むことを特徴とする、請求項１９に記載のシート組立体。
【請求項２１】
前記識別パネルは、およそ２ｃｍから３ｃｍの間の幅を有し、かつ、およそ３ｃｍから８ｃｍの間の長さを有することを特徴とする、請求項１８に記載のシート組立体。
【請求項２２】
前記識別バンドは、前記識別パネルに連結されたフラップを含むことを特徴とする、請求項１８に記載のシート組立体。
【請求項２３】
前記細長いストラップ、前記識別パネル、および、前記フラップからなる群から選ばれる品物が、少なくとも１つの丸いコーナを含むことを特徴とする、請求項２２に記載のシート組立体。
【請求項２４】
請求項２２に記載のシート組立体であって、
（あ）前記正面シートは、互いに対向する上面および裏面を有し、
（い）前記正面シートの裏面は、前記識別パネル、および、前記フラップに対応する少なくとも部分に塗布された感圧接着剤を有し、
（う）前記細長いストラップに対応する前記正面シートの裏面には、接着剤がない、
ことを特徴とするシート組立体。
【請求項２５】
請求項２２に記載のシート組立体であって、
（あ）前記細長いストラップの互いに対向する端は、互いに対向する第１の端、第２の端を含み、前記第１の端、前記第２の端は、長手方向軸線にそって間隔を隔てられていて、
（い）前記識別パネルは、前記細長いストラップの第２の端に連結され、
（う）前記識別パネルは、前記細長いストラップの第２の端を超えて、長手方向軸線の方向に延びており、
（え）前記細長いストラップは、前記長手方向軸線にそって延びる第１の長さを有し、
（お）前記識別パネルは、前記長手方向軸線にそって延びる第２の長さを有し、
（か）前記第１の長さは、前記第２の長さよりも長い、
ことを特徴とするシート組立体。
【請求項２６】
請求項２５に記載のシート組立体であって、
（あ）前記フラップは、前記長手方向軸線に対して横方向に、前記識別パネルからオフセットしていて、
（い）前記細長いストラップは、前記横方向にそって延びる第１の幅を有し、
（う）前記識別パネルは、前記横方向にそって延びる第２の幅を有し、
（え）前記第１の幅は、前記第２の幅よりも小さい、
ことを特徴とするシート組立体。
【請求項２７】
請求項２２に記載のシート組立体であって、
（あ）前記正面シートは、互いに対向する上面および裏面を有し、
（い）前記シート組立体は、さらに、互いに対向する上面および裏面を有する裏張りシートを含み、
（う）前記正面シートの裏面は、前記裏張りシートの上面に対向するように配置され、
（え）前記裏張りシートの上面は、前記識別パネル、および、前記フラップと合わされるようになっている表面領域に塗布された剥離被覆材を有する、
ことを特徴とするシート組立体。
【請求項２８】
前記識別パネル、および、前記フラップは、おおよそ同じ寸法と、おおよそ同じ形状を有することを特徴とする、請求項２２に記載のシート組立体。
【請求項２９】
前記細長いストラップ、および、前記フラップは、各々が、前記識別パネルから一体になって延びることを特徴とする、請求項２２に記載のシート組立体。
【請求項３０】
請求項２２に記載のシート組立体であって、
（あ）前記フラップは、面を含み、
（い）前記シート組立体は、さらに、前記フラップの面に印刷された表示を含む、
ことを特徴とするシート組立体。
【請求項３１】
前記表示は、バーコードを含むことを特徴とする、請求項３０に記載のシート組立体。
【請求項３２】
前記表示は、前記識別パネル、および、前記フラップからなる群から選ばれる品物に接続された信号発生デバイスを含むことを特徴とする、請求項２２に記載のシート組立体。
【請求項３３】
前記信号発生デバイスは、ＲＦＩＤインレイ、および、ＲＦＩＤラベルからなる群から選ばれることを特徴とする、請求項３２に記載のシート組立体。
【請求項３４】
シート組立体であって、
（あ）少なくとも一部分が織布で形成された正面シートを有し、
（い）前記正面シートは、識別バンドを構成する、少なくとも１つの抜きを含む、
ことを特徴とするシート組立体。
【請求項３５】
前記正面シートは、少なくとも１つの識別領域を構成するように前記正面シートに形成された抜きの列を含むことを特徴とする、請求項３４に記載のシート組立体。
【請求項３６】
前記少なくとも１つの識別領域は、少なくとも１つの識別カードであることを特徴とする、請求項３５に記載のシート組立体。
【請求項３７】
前記正面シートは、少なくとも１つのラベルを構成するように前記正面シートに形成された抜きの列を含むことを特徴とする、請求項３４に記載のシート組立体。
【請求項３８】
前記織布は、ポリエステル、および、ナイロンからなる群から選ばれることを特徴とする、請求項３４に記載のシート組立体。
【請求項３９】
請求項３４に記載のシート組立体であって、
（あ）前記細長いストラップは、互いに対向する端を有し、
（い）前記識別パネルは、前記細長いストラップの端のうちの一方に連結され、
（う）フラップが、前記識別パネルに連結される、
ことを特徴とするシート組立体。
【請求項４０】
さらに、前記識別パネル、および、前記フラップからなる群から選ばれる品物に印刷された表示を含み、前記表示は、バーコードであることを特徴とする、請求項３９に記載のシート組立体。
【請求項４１】
請求項３９に記載のシート組立体であって、
（あ）前記細長いストラップの互いに対向する端は、互いに対向する第１の端、第２の端を含み、前記第１の端、前記第２の端は、長手方向軸線にそって間隔を隔てられていて、
（い）前記識別パネルは、前記細長いストラップの第２の端に連結され、
（う）前記識別パネルは、前記細長いストラップの第２の端を超えて、長手方向軸線の方向に延びており、
（え）前記細長いストラップは、前記長手方向軸線にそって延びる第１の長さを有し、
（お）前記識別パネルは、前記長手方向軸線にそって延びる第２の長さを有し、
（か）前記第１の長さは、前記第２の長さよりも長い、
ことを特徴とするシート組立体。
【請求項４２】
請求項４１に記載のシート組立体であって、
（あ）前記フラップは、前記長手方向軸線に対して横方向に、前記識別パネルからオフセットしていて、
（い）前記細長いストラップは、前記横方向にそって延びる第１の幅を有し、
（う）前記識別パネルは、前記横方向にそって延びる第２の幅を有し、
（え）前記第１の幅は、前記第２の幅よりも小さい、
ことを特徴とするシート組立体。
【請求項４３】
前記識別パネル、および、前記フラップは、おおよそ同じ寸法と、おおよそ同じ形状を有することを特徴とする、請求項３９に記載のシート組立体。
【請求項４４】
さらに、前記識別パネル、および、前記フラップからなる群から選ばれる品物に接続された信号発生デバイスを含むことを特徴とする、請求項３９に記載のシート組立体。
【請求項４５】
前記信号発生デバイスは、ＲＦＩＤインレイ、および、ＲＦＩＤラベルからなる群から選ばれることを特徴とする、請求項４４に記載のシート組立体。
【発明の詳細な説明】
【技術分野】
【０００１】
本発明は、シート組立体に関する。
【背景技術】
【０００２】
病院およびその他の医療施設は、患者の不適切な識別および追跡の問題を強く認識している。これらの問題は、分析のために患者から採取した試験片を注意深く、正確に識別し、そして、投与のための医薬品と患者とを注意深く合致させることにまで及ぶ。新生児に関しては、その問題は、親と新生児とを適切に合わせることに及ぶ。
【０００３】
手首および／または足首用の識別バンドは一般に、病院の登録手続の一部として患者に使用される。典型的な識別バンドは、患者の名前および他の関連データを刻印し、そして、機械読取可能バーコードを刻印することもある。識別ブレスレット上のバーコードおよび少なくともいくつかの他のデータも、医療施設での患者の滞在を通して経時的に使用されるラベル上に刻印できる。例えば、ラベルは、患者の手当に関連するカルテに入る資料に使用することができる。ラベルは、試験片収集管に使用することも可能で、そして収集試験片で行われた診断試験の結果は、ラベルに刻印されたデータに基づいて物理的または電子工学的に探し出される。医薬品の投与量は一般に、医療または薬局従事者によって準備し、そしてバーコードを有するラベルをつけた容器に入れることができる。医療提供者は、バーコード読取装置を持ち運び、そして確実に適合させるため、薬剤を投与する前に、医薬品容器と患者の識別バンドとの両方を走査する。患者の識別バンドは、なんらかの医療手段を行う前に目視で、または機械によっても点検される。
【０００４】
患者の識別バンドに印刷された情報、および患者の識別バンドと関連したラベル上に印刷された情報は一般に、コンピュータのメモリーに保存される。患者の識別バンドおよび識別バンドに関連したラベルは、コンピュータに接続したプリンターによって印刷が可能である。プリンターは、インクジェットプリンター、レーザープリンターなどでもよい。
したがって、識別バンドは、プリンターを通した十分な加工を確保する手段で形成されるべきである。
【発明の概要】
【発明が解決しようとする課題】
【０００５】
医療施設で使用される識別バンドおよび他の識別材料は、液体にさらされる可能性があり、そして物理的接触にさらされる可能性がある。印刷された情報は、断続的な濡れおよび接触にもかかわらず、読取可能なままであるべきである。したがって、ある種の識別バンドは、印刷表示を有する支持体で守られた透明なプラスチック上塗層を有する積層構造である。積層識別バンドは、医療従事者によって複雑で時間のかかる操作を必要とする。
【０００６】
患者には医療施設で長期間に亘って滞在する者もおり、これらの患者の多くは、敏感な肌を有する。例えば、早産の新生児は、医療施設で数週間または数ヶ月過ごす可能性がある一方で、彼らは、観察され、養育され、そして治療される。この滞在のほとんどの時間は、新生児集中治療室（ＮＩＣＵ）にいる可能性がある。これらの小さな赤ちゃんは、しばしば互いに目視で区別ができず、そして彼らを識別することができない。さらに、新生児集中治療室にいる新生児は、彼ら自身の個々の虚弱な症状に基づいた養生および医療要件の特別の治療法を有することがある。したがって、適切な識別が必須である。しかし、従来の識別バンドは、材料の厚さおよび剛性により、かなり堅く、そして小さな赤ちゃんの皮膚を容易に刺激することがある。皮膚刺激または摩擦は、治療を必要とする可能性があり、そして新生児集中治療室の早産児の長期にわたる滞在を複雑にすることもある。類似の問題が、医療施設の長期にわたる滞在が要求される高齢の患者でも生じる。
【０００７】
医療施設も、産科病棟および新生児集中治療室内、およびその周辺での安全確保が懸念される。したがって、多くの病院は、親たちに、赤ちゃんに着けられた識別バンドに対応する手首バンドを着けることを要求する。これらの親の手首バンドは、赤ちゃんに触れる人の人数および身分証明を管理し、医療施設の安全確保問題に対処する。親の手首バンドは、望ましくは、コンピュータに保存される情報から自動的に印刷され、そして最も好ましくは、乳児の識別バンドと同時に印刷される。RFID技術が成長し、主流になってきたので、識別バンドへのこの技術の使用は、施設内での患者の位置または動きを追跡する能力を創造し、並びに他の関連情報の動的収集および保存を可能にし、そして安全確保を増す。
【課題を解決するための手段】
【０００８】
上の観点により、本発明の目的は、長期間患者が快適に装着できる識別バンドのためのシート組立体を提供することである。
【０００９】
本発明の別の目的は、乳児に、そして特に早産児に、そして高齢の患者に十分に適している識別バンドのためのシート組立体を提供することである。
【００１０】
本発明のさらに別の目的は、ＲＦや光学走査などを介して、そこに示される情報を読取る能力に影響を及ぼすことなく湿気や接触にさらすことに耐性を持つ識別バンドのためのシート組立体を提供することである。
【００１１】
さらに別の目的は、少なくとも１つの手首バンドまたは足首バンドを含む数種の識別道具を同時に印刷するための識別部材に関連する識別バンドのためのシート組立体を提供することである。
【００１２】
本発明のさらに別の目的は、医療従事者が容易に適用および使用できる識別バンドのためのシート組立体を提供することである。
【００１３】
本発明は、表示の携行および提示に適し、乳児またはその他の人の手首または足首に着けるのに適した識別バンドに関連している。識別バンドは、薄い柔軟性の織布材料層から形成され、そして好ましくは、レーザープリンター、インクジェットプリンター、感熱式プリンターなどの市販で入手可能なプリンターによってそこに与えられた表示を恒久的に、そして明瞭に提示する材料から形成される。織布材料は、好ましくは、ポリエステルまたはナイロンのような織布合成繊維である。さらに、印刷表示を受け、そして提示するために十分な継続性と平滑な表面を明確にするために、生地の繊維間の空隙を実質的に充填する、適合性のある合成材料を織布に注入することが可能である。織布に注入された合成材料は、ポリエステル、スチレン、アクリル系または他の適合性有機基材の材料であってもよい。本発明による識別バンドは、敏感な皮膚を刺激することを防ぐのに十分に薄く、そして柔軟であるのが好ましい。例えば、約３．０ミルから６．０ミルの厚みを示すシート材料が好ましく、そして材料が、約４０ミルの厚みを有することが最も好ましい。
【００１４】
本発明において、識別バンドは、数日間、数週間、または数ヶ月間医療施設にいる乳児、幼児、そして特に早産児によく適している。幅の狭いバンドが、特に乳児の細い手首または足首によく適している。しかし、狭いバンドは、必要とされる識別情報の全てを受取るために十分な寸法でないかもしれない。結果として、識別バンドは、狭いストラップ、および識別パネルを含む。そのストラップは、必要な強度を提供するために、そして患者の手首または足首に食い込むのを防ぐために十分に幅広い。さらに、ストラップは、通常の使用期間に捩れるのを防止するのに十分に幅広いのが好ましい。およそ１ｃｍ幅のストラップが、この目的のためには十分である。識別パネルは、必要とされうる識別表示を受け入れるのに十分に幅広く、そして長い。例えば、約２ｃｍから３ｃｍの幅であって、そして約５ｃｍの長さの識別パネルは、適切なサイズおよび明確性を有し、必要とされる表示を伝達するのに十分な大きさである。識別パネルは、好ましくは、ストラップの１つの縦軸末端と一体となっており、そして鋭利な角がないのが好ましい。識別パネルは、識別表示が印刷される上面と、対向する裏面を含む。裏面は、識別表示が印刷されなくてよい。
【００１５】
識別バンドは、さらに、好ましくは、ストラップの長軸方向に実質的に平行である結合線に沿って識別パネルに一体となって連結したフラップを含みうる。そのフラップは、好ましくは、識別パネルと同じサイズおよび形状であり、そして対向する上面および裏面を有する。フラップの上面は、識別パネルの上面と同じ、または別の識別表示を印刷できる。
【００１６】
感圧接着剤の層は、フラップの裏面および／または識別パネルの裏面に塗布される。この構造で、ストラップは、ストラップの断面が識別パネルの裏面と向かい合ってかみ合って配置されるように、ループに形成されうる。その後、フラップの裏面が、識別パネルの裏面の上に重なり、そして識別パネルの裏面とフラップの裏面との間でストラップの一部を挟むようにフラップを折畳む。フラップおよび／または識別パネルの裏面に塗布される接着剤は、ループにされた状態でストラップを確実に保持し、連続した識別バンドを形成する。ストラップは、乳児にとって適切に狭いが、識別パネルは、必要とされる識別表示を有するのに十分に大きい。さらに、フラップ上の識別表示は、識別バンドが装着中にわずかに捩れ始めた場合でさえ識別データが容易に読取り可能であることを確実にする。
【００１７】
積層の層の間に入れるか、またはインレイラベルが折畳み前に固定されるであろうバンドとは個別に存在させるために、ＲＦＩＤ  ＨＦまたはＵＨＦインレイ（テキサス・インストルメンツ（Ｔｅｘａｓ  Ｉｎｓｔｒｕｍｅｎｔｓ  ）のタグイット（Ｔａｇ  ｉｔ）またはアベリー・デニソン（Ａｖｅｒｙ  Ｄｅｎｎｉｓｏｎ）のＵＨＦなど）も製造中に挿入することができ、それにより、折畳みの上側の間またはその上に安全に、しっかりと、そして恒久的にインレイを締め付ける。さらに、織布の圧縮特性は、損傷に耐えるのを助けるためにRFIDの周りに保護クッションを提供し、そして同様に、識別バンドまたはＲＦＩＤインレイをさらに保護するため防水性を持たせることも可能である。
【００１８】
本発明に関連する態様は、レーザープリンター、感熱式、インクジェットプリンター、または他の市販で入手可能な印刷装置で、効率的にそして確かに識別バンドを印刷する能力である。プリンターは、印刷シートが比較的薄く、そしてシートの長さおよび幅にわたって均一な厚みまたは共面を示すときに最も機能する。厚すぎるシートは、多くの機械で十分に給紙しない可能性もあり、そしてシート全面に共面を示さないシートは、プリンターの供給機構に詰まりを起こしやすくなる。
【００１９】
本発明において、識別バンドは、好ましくは、前面シートと裏張りシートを含む積層シート部材の一部である。前面シートは、ポリエステルまたはナイロンのような織布の上述のシートから形成される。正面シートは、表示が刻印される上面、および表示の必要のない裏面を有する。裏張りシートは、対向する表と裏面を有する紙材料から形成されうる。裏張りシートの上面は、正面シートの裏面と向かい合ってかみ合って少なくとも一時的に固定される。
【００２０】
正面シートは、識別バンドのための好ましい形状を明確にする少なくとも１つの型抜き列を備える。積層シート部材がプリンターを通して加工される場合、全正面シートの一部として識別バンドを保有する型抜きを特定寸法に作る。
【００２１】
正面シートの裏面の大部分は、それに塗布される感圧接着剤の薄い被覆層を有しうる。
しかし、好ましくは、識別バンドのストラップを明確にする正面シートの裏面の部分には接着剤は塗布しない。裏張りシートの上面は、好ましくは、識別パネルと識別パネルのフラップを位置合わせする裏張りシートの部分に薄い剥離被覆材を塗布する。しかし、剥離被覆材は、好ましくは、裏張りシートの外側外縁から内向きに間隔を置いた位置に配置される。裏張りシートは、さらに、識別バンドのストラップを合わせる裏張りシートの上面の部分に低粘着性接着剤、分離または乾式剥離被覆材の列を含む。低粘着性接着剤は、積層シート部材がプリンターを通して加工されるときに、裏張りシートに剥離可能に識別バンドのストラップを保持する。しかし、そのストラップを、低粘着性接着剤、分離または乾式剥離被覆材から容易に分離でき、また低粘着性接着剤などは、ストラップに移行されない。
【００２２】
積層シート部材は、除去可能な感圧接着剤を利用して、患者および／または彼／彼女の治療領域を識別するために、部屋、アイソレット（保育器）、バシネット、ベッドなどでの据付の枠にスライドさせるか、または張ることができる表示付きカードを含みうる。識別カードに対応する正面シートの裏面の部分は、そこに塗布される感圧接着剤を有し、そして裏張りシートの対向する上面は、好ましくは、そこに塗布される剥離被覆材および低粘着性接着剤分離または乾式剥離被覆材を含まない。したがって、正面シートによって規定される識別カードは、付加された構造上の支持および一体性のために裏張りシートの対応の部分に実質的に恒久的に固定される。識別カードを有する実施態様は、好ましくは、識別カードの周囲で正面シートと裏張りシートの両方を通して伸びる型抜きを有する。
積層シート部材は、さらに、ミルクまたは処方のボトルに塗布されうる少なくとも１つの接着剤裏引きラベルを明確にする。ラベルは、正面シートの型抜き列によって明確にされる。患者識別表示は、ラベルを明確にする型抜き列によって制限される領域内に正面シートの上面で印刷されうる。感圧接着剤を、ラベルに対応する正面シートの裏面の部分に塗布する。剥離被覆材を、好ましくは、ラベルに対向した裏張りシートの上面に塗布する。この構造で、ラベルを、残りの正面シートから型抜きに沿って剥がし、そして裏張りシートから剥がす。その後ラベルを、ボトルのような支持体に固定させうる。
【図面の簡単な説明】
【００２３】
【図１】本発明による積層シート部材の分解斜視図である。
【図２】図１で示される正面シートの底面図である。
【図３】除去される工程での識別バンドを示すシート部材の斜視図である。
【図４】ループに形成される前の識別バンドの平面図である。
【図５】図４で示される平面指向での識別バンドの底面図である。
【図６】ループに形成される後であるが、その最終状態に置かれる前の識別バンドの平面図である。
【図７】最終状態の１つにある識別バンドの平面図である。
【図８】図７で示される識別バンドの正面図である。
【図９】患者に配置するための別の可能な指向を示す識別バンドの斜視図である。
【図１０】完全に組立てられた状態にある図９の識別バンドの正面図である。
【図１１】本発明の第二の実施態様による積層シート部材の平面図である。
【図１２】除去される工程での代替の識別バンドを示すシート部材の斜視図である。
【図１３】平面指向での別の代替の識別バンドの底面図である。
【発明を実施するための形態】
【００２４】
本発明の１つの実施形態において、シート部材は、図１で参照番号１０によって一般に識別される。シート部材１０は、正面シート１２および裏張りシート１４を含む。正面シート１２は、実質的に長方形であり、そして好ましくは、ポリエステルまたはナイロンのような適合性フィラーで充填されたポリエステルのような織布材料から形成される。フィラーは、印刷表示を受け入れ、そして保持する比較的平滑な連続表面を明確にするために十分に塗布される。正面シート１２は、好ましくは、約５ミルの厚みを規定する。
【００２５】
複数の識別バンド２０を、対応する複数の型抜き列２２によって正面シート１２上を明確にする。型抜き列２２は、型抜き、レーザカット、またはそうでなければ、その上に離れて間隔を置いた複数の位置で、正面シート１２を通して伸びるように形成されうる。型抜き列の特定の寸法は、正面シート１２が形成される織布材料の特徴によって変化しうる。しかし、型抜き列２２は、過剰な操作または力なしに、そして識別バンド２０または正面シート１２の隣接領域のいずれかを引っ張ることなく、正面シート１２から識別バンド１２の分離をさせるように形成されるべきである。好ましい実施態様では、各型抜きは、全てのバンド、カードまたはラベルの完全な境界線の連続した型抜きである。各型抜きの長さ、および型抜き間の結びの長さは、正面シート１２が形成される材料の特徴によって変化する。
【００２６】
各識別バンド２０は、ストラップ２４、識別パネル２６およびフラップ２８を含む。ストラップ２４は、約１．０ｃｍの幅を有し、そして、約１８ｃｍから２４ｃｍの長さを有する。識別パネル２６は一般に、約０．７５ｃｍから１．５０ｃｍの半径を規定する楕円であるか、または丸みのある角を有する長方形のものである。丸みのある角は、皮膚を刺激しにくく、そして識別バンド２０が、残りの正面シート１２から分離される予定であるとき、裂ける可能性を最小限にする。識別パネル２６は、必要な情報を提示するのに十分に大きい。好ましい識別パネルは、約５．０ｃｍの長さを有し、および、約２．０ｃｍから３．０ｃｍの幅を示す。ストラップ２４は、識別パネル２６の狭い末端から実質的に対称的に伸びる。フラップ２８は、ストラップ２４の長軸方向に実質的に平行に位置を合わせて折畳み線３０に沿って識別パネル２６に一体となって連結される。折畳み線３０は、識別パネル２６およびフラップ２８より短く、そして正確に折畳むために、十分に明確にさせた凹形先端で終結する。
【００２７】
例示の実施態様の正面シート１２は、さらに、型抜き列３４によって形成される識別カード３２を含む。識別カード３２は、一般に長方形であるが、しかしその１つの長い側面から伸びるタブを含む。
【００２８】
正面シート１２は、図１で示されるとおり上面３６、および図２で示されるとおり対向する裏面３８を含む。正面シート１２の上面３６は、識別パネル２６、フラップ２８および識別カード３２に対応する位置で患者に特定の表示を刻印される。
【００２９】
正面シート１２の裏面３８は、識別バンド２０のストラップ２４を明確にする型抜き列２２の部分内の裏面３８の領域を除いて、裏面３８の実質的に全領域に塗布される接着剤３９の薄層を備える。感圧接着剤３９は、レーザープリンターまたは他の高温プリンター装置でシート部材１０の印刷を促進するために、１４８．９°Ｃ（３００°Ｆ）から１９８．５°Ｃ（４００°Ｆ）程度の温度にかけられたときに、安定なままであり、そして流れない組成物を有する。接着剤３９は、紫外線にさらされたときに、容易に劣化してはならない。この点で、シート部材１０の成分を通常の試用期間中に紫外線にさらすと、接着剤を黄色に変わるか、または接着剤にその粘着性を失ってはならない。このような接着剤の１つは、米国特許番号第５，２６２，２１６号に記述され、その開示は、参照してここに組み込まれる。好ましい接着剤は、アベリー・デニソン社（Ａｖｅｒｙ  Ｄｅｎｎｉｓｏｎ  Ｃｏｒｐｏｒａｔｉｏｎ）から入手可能であるＰ３２ホットメルト接着剤である。感圧接着剤３９は一般に、約０．２５ミルから２．０ミルまでの範囲にある粘着性を示す。
【００３０】
裏張りシート１４は、実質的に長方形であり、そして正面シート１２のサイズおよび形状に合致する。裏張りシート１４は、いずれかの柔軟性用紙またはフィルムでありうる。
しかし、好ましくは、裏張りシート１４は、シート部材１０がレーザープリンターまたはインクジェットプリンターのような従来のシート供給プリンターを通して十分に加工しうるように選択された厚みを示す紙シートである。現在利用可能なプリンターは、１５ミルまたはそれ未満の厚みのシートを加工できる。２から６ミルまでの厚みを示す裏張りシートは、従来の印刷装置を通して十分な加工を可能にしつつ、シート部材１０のための十分な支持体を提供するであろう。裏張りシート１４は、図１および図３で示されるとおりの上面４０、および対向する裏面（図示せず）を有する。剥離被覆材４２は、識別パネル２６およびフラップ２８を合わせる裏張りシート１４の上面４０の領域に塗布される。剥離被覆材は、好ましくは、従来のシリコーン組成物であるが、しかしフッ素化またはアミン基材の剥離組成物のような他の剥離組成物を使用しうる。剥離被覆材４２は、極度に薄い、例えば約０．１から０．５ミルまでの範囲にありうる。さらに、低粘着性接着剤、分離または無菌の剥離４４は、識別バンド２０のストラップ２４を合わせる裏張りシート１４の上面４０の領域に塗布される。低粘着性接着剤４４は、ストラップ２４に対向した関係で連続して伸びる可能性がある。しかし、例示された実施態様では、低粘着性接着剤４４は、ストラップ２４の長さに沿って互いから隔てられた位置に塗布される。裏張りシート１４の上面４０上の低粘着性接着剤４４の各別個の領域の寸法は、低粘着性接着剤４４の区分の間での間隔の寸法を越える。間隔は、ストラップ２４が、部材１０がプリンターを通して加工されるときに、裏張りシート１４で保持されることを確実にするために選択される。しかし、低粘着性接着剤分離または無菌の剥離領域４４の範囲および特徴は、裏張りシート１４からストラップ２４を分離する上で困難を導くべきでない。さらに、低粘着性接着剤分離または無菌の剥離領域４４の間の間隔は、積層シート１０の共面に影響を及ぼしうる方法で、積層シート１０にわたって明らかな表面の切れ目を作り出すべきでない。識別バンド２０から間隔をあけた裏張りシート１４の上面４０の領域は、剥離被覆材４２および低粘着性接着剤分離または無菌剥離４４を含まない。
【００３１】
裏張りシート１４は、さらに、識別カード３２を明確にする型抜き３４で実質的に合わせる型抜き列４６を含む。したがって、裏張りシート１４上の型抜き４６は、識別カード３２のサイズおよび形状に合致する識別カード支持体を明確にする。
【００３２】
正面シート１２の裏面３８は、シート部材１０を形成するために裏張りシート１４の上面４０と正確に重ね合わせ、そして固定されうる。その後、シート部材１０は、各識別バンド２０の少なくとも識別パネル２６上に、そして識別カード３２上に患者の特定の表示を印刷するためにレーザープリンター、感熱式またはインクジェットプリンターのようなプリンターを通して加工されうる。患者の特定の表示も、フラップ２８を明確にする正面シート１２の上面３６の部分に印刷されうる。
【００３３】
識別バンド２０は、型抜き列２２の外側で正面シート１２の外縁領域からストラップ２４または識別パネル２６のいずれかを切り離すために、識別バンド２０の付近で積層シート部材１０を固定するために使用される。結果として、正面シート１２は、型抜き列２２に沿って離れる。識別パネル２６およびフラップ２８は、識別パネル２６とフラップ２８とを合わせる裏張りシート１４の上面４０の部分に塗布された剥離被覆材４２のため、裏張りシート１４から容易に剥ぐことができる。その後、医療従事者は、図３で示されるとおり識別パネル２６を引き続けて、正面シート１２の残りの領域からストラップ２４を切り離し、そして裏張りシート１４からストラップ２４を剥がす。型抜き列２２は、過剰な力または引っ張りなしに、ストラップ２４の正しい切断を可能にする。さらに、ストラップ２４に対応する正面シート１２の底面３８の部分は、その上に接着剤を有さず、そして低粘着性接着剤領域４４は、裏張りシート１４からストラップ２４の意図的剥離を明らかに妨げはしない。
【００３４】
完全に分離された識別バンド２０を、患者の手首または足首の周囲で巻きつけ、そしてストラップ２４に沿った上面３６の一部を、識別パネル２６を明確にする裏面３８の一部と向かい合って嵌め込まれるよう入れうる。識別パネル２６の裏面３８にある接着剤は、識別パネル２６と向かい合って嵌め込まれるようにストラップ２４の隣接領域を保持する。この位置決めは、堅く束縛されるのを避けつつ、識別バンド２０が、手首または足首から不注意に滑り落ちないことを確保するために行われる。積載は、フラップ２８を、結合線３０の周囲で回転させ、そして識別パネル２６の下にフラップ２８を押し込むことによって完成される。結合線３０は、同一に設計された識別パネル２６とフラップ２８の長軸寸法より短い。その後、フラップ２８は、識別パネル２６の裏面３８と向かい合った正確な重ね合わせで固定される。したがって、ストラップ２４は、識別パネル２６とフラップ２８の間でしっかりと挟まれる。識別パネル２６を越えて伸びる可能性のあるいずれの余分なストラップ２４も切り取ることができる。
【００３５】
図６から図８で示される識別パネルは一般に、腕時計または腕時計のバンドに似ている。しかし、識別バンド２０は、図９および図１０で示されるとおり、識別パネル２６とフラップ２８がフラッグを明確にするように患者に装着することができるように、識別バンド２０を患者に装着することができる。この点で、ストラップ２４の自由な末端に隣接する裏面３８を、識別パネル２６の裏面に乗せる。その後、フラップ２８を、結合線３０の付近で回転させ、そして識別パネル２６の裏面３８と向かい合って嵌め込まれるよう固定される。したがって、ストラップ２４は、識別パネル２６とフラップ２８の間にしっかりと挟まれる。しかし、識別パネル２６およびフラップ２８は、フラッグと同じくらい多く同じ方法で、患者の手首または足首から横に突き出す。識別パネル２６とフラップ２８のフラッグの配列は、達成するのが容易で、そして多くの状況で読取るのが容易でありうる。
【００３６】
識別バンド２０は、医療施設で長期間、観察、養育および治療を必要としうる早産児のような患者の皮膚を刺激するのを避けるために柔らかく、そして柔軟性である。しかし、柔らかい柔軟性織布識別バンド２０は、素晴らしい強度を示し、そして通常の使用期間中に、力に応答して破れにくい。ストラップ２４は、捩れることなく、患者の皮膚と向かい合って嵌め込まれるのに十分に幅広い。識別パネル２６は、全ての必要な表示を有するのに十分に大きい。さらに、識別バンド２０の合成織布材料は、液体および／または接触への露出にもかかわらず、それに適用された印刷表示を保持する。
【００３７】
図１から図３で示されるシート部材１０は、多くの選択肢のシート形状の内の一つにすぎない。代替のシート部材は、図９で参照番号５０によって一般に認識される。シート部材５０は、正面シート５２および裏張りシート５４を含む。シート部材５０は、図１−８に関して記述および例示された識別バンド２０と実質的に一致する複数の識別バンド６０を含む。したがって、識別バンド６０の各々は、ストラップ６４、識別パネル６６およびフラップ６８を形成するために、型抜き列６２によって規定される。ストラップ６４で位置を合わせた正面シート５２の裏面の部分には、そこに被覆材を有さない。しかし、正面シート５２の裏面の残りを、上述の感圧接着剤で被覆する。識別パネル６６とフラップ６８と正を合わせる裏張りシート５４の上面の部分には、剥離被覆材を塗布する。ストラップ６４に併せた裏張りシート５４の部分は、低粘着性接着剤を塗布する。
【００３８】
シート部材５０は、複数の個別の識別カード７０、７２および７４を含むことによってシート部材１０と異なる。この実施態様では、識別カード７０は、アイソレット上のスロット状の容器への挿入のために設計される。識別カード７２および７４はそれぞれ、バインダーカバーおよびバインダー背表紙で形成されるポケットに挿入するため、特定の寸法に作られそして設計される。その後、バインダーは、特定の患者のための記録を保持するために使用されうる。第一の実施態様でのとおり、識別カード７０、７２および７４を合わせた裏張りシート５４の部分は、剥離被覆材も、そして低粘着性接着剤も塗布しない。
したがって、正面シート５２と裏張りシート５４は、識別カード７０、７２および７４にわたって、互いに恒久的に接着する。さらに、実質的に正確に重ね合わされた型抜き列は、識別カード７０、７２および７４の各外縁の周囲で正面シート５２および裏張りシート５４の両方を通して伸びる。したがって、各識別カード７０、７２および７４は、識別カード７０、７２および７４の適切な支持体を提供する正面シートに固定された裏張りシート５４を有するシート部材５０から分離されうる。
【００３９】
シート部材５０は、複数のラベル７８を供給することによってシート部材１０と異なる。ラベル７８に、例えば患者および日付を識別するための識別表示を押す。各ラベル７８は、第一の実施態様の型抜き列２２に適合性のある寸法を有する連続した型抜き列８０によって規定される。したがって、各ラベル７８を、残りの正面シート５２から切り離しうる。各ラベル７８に対応する正面シート５２の裏面の一部は、その上に感圧接着剤の被覆材を有する。個別のラベル７８と合わされた裏張りシート５４の上面の一部は、それに塗布した剥離被覆材は、識別パネルとフラップ６６と６８と合わせた剥離被覆材と実質的に一致させる。したがって、ラベルを、残りのシート部材１０と分離し、そしてミルクまたは処方のボトルのような支持体に貼付しうる。
【００４０】
代替のシート部材は図１２に示され、一般に、参照番号１１０によって識別される。シート部材１１０は、上に記述され、示されるシート部材１０と実質的に一致する。特に、シート部材１１０は、識別バンド１２０を含み、その各々は、ストラップ１２４、識別パネル１２６およびフラップ１２８を有する。さらに、ＲＦＩＤインレイ１３０はフラップ１２８に接着されうる。代替として、ＲＦＩＤインレイ１３０は識別パネル１２６に固定されうる。これらの選択肢のいずれかで、バンドが患者に装着されるとき、識別バンドは、識別パネル１２６とプラットフォーム２８の間で固定されるＲＦＩＤインレイ１３０を有する。図１２は、ＲＦＩＤラベル１３２も示す。ＲＦＩＤラベル１３２は、図１３で示されるとおり、識別パネル２６とフラップ２８の間に貼付されうる。代わりに、ＲＦＩＤラベル１３２の電子工学的面が、正面シート１２によって規定されるＲＦＩＤラベル１３２の部分の真下にあるように、ＲＦＩＤラベル１３２を、識別パネル２６またはフラップ２８の外側に貼付しうる。これらの実施態様の全てで、ＲＦＩＤインレイ１３０またはＲＦＩＤラベル１３２の電子工学的面が、識別バンド２０または１２０内に安全に、しっかりと、そして恒久的に収容される。これらの任意の設計は、患者が医療施設内を移動するとき、正確な追跡および観察を可能にする。さらに、識別バンド２０、１２０を形成する圧縮可能な特性を有する織布は、ＲＦＩＤインレイ１３０またはラベル１３２の周囲に保護クッションを提供する。さらに、識別バンド２０、１２０の繊維は、ＲＦＩＤインレイ１３０またはラベル１３２の防水性に寄与する。
【００４１】
本発明が、好ましい実施態様に関して記述された場合、付随の請求項によって定義されるとおり本発明の範囲から逸脱することなく変更できることは明らかである。例えば、積層シート部材は、ここに示されるただ１つの識別バンドまたは３つ以上の識別バンドを有しうる。さらに、例示の識別カードは、全ての実施態様を必要としないかもしれない。代わりに、ラベルは、積層シート部材に含まれていてもいなくてもよい。ラベルは、ファイル、バイアルまたは他の構造に使用するために提供されうる。これらの状況について、剥離被覆材を、ラベルと合わされた位置で裏張りシートの上面に塗布しうる。ラベルは、型抜き列によって規定され得て、そして正面シートの後方表面に塗布される接着剤被覆材を有しうる。したがって、ラベルを、裏張りシートから剥がし互いに分離し、そして適切な支持体に使用するための正面シートの残りの部分から分離しうる。上述および例示される実施態様は、主に乳児に使用するために意図される。しかし、本発明は、高齢のまたは他の成人の用途に特によく適している。これらの状況では、識別バンドは、長く、そして幅広い。さらに、識別パネルおよびフラップは、ストラップとは個別に形成することが可能であり、そして互いに向かい合った関係でストラップの対向部分を保持するための留め金として有効に機能しうる。これは、フラッグの形態で嵌められた識別バンドの実施態様として特に十分に適している。
【図１】
2011257778.tif 000003
【図２】
2011257778.tif 000004
【図３】
2011257778.tif 000005
【図４】
2011257778.tif 000006
【図５】
2011257778.tif 000007
【図６】
2011257778.tif 000008
【図７】
2011257778.tif 000009
【図８】
2011257778.tif 000010
【図９】
2011257778.tif 000011
【図１０】
2011257778.tif 000012
【図１１】
2011257778.tif 000013
【図１２】
2011257778.tif 000014
【図１３】
2011257778.tif 000015